(57)【特許請求の範囲】
【請求項１】
床面に対して略垂直に設けられた複数の縦フレームと、該複数の縦フレームを接続する複数の横フレームとによって、複数の矩形枠を形成するフレームと、
前記フレームによって形成された前記複数の矩形枠に対して、該矩形枠の前面および後面の両面から設置されるパネルと、を備え、
前記フレームは、前記複数の矩形枠および前記パネルによって形成された、配線可能な複数の内部空間のうち、該フレームを挟んで隣接する内部空間同士を繋げる配線用孔部を有し、
前記パネルは、該パネルの上端近傍に設けられた係止部と、該パネルの下端近傍に設けられた嵌合部とを有し、
前記横フレームは、
前記複数の矩形枠のうちの該横フレームが上辺を形成する矩形枠に対して前記パネルが設置されたときに、該パネルの手前方向への取り外しを禁止し、奥または下方向への取り外しを許可する方向に前記係止部を係止させる被係止部と、
前記複数の矩形枠のうちの該横フレームが下辺を形成する矩形枠に対して前記パネルが設置されたときに、該パネルの手前方向への取り外しを許可する方向に前記嵌合部を嵌合させる被嵌合部と、を有する、
間仕切り装置。
【請求項２】
前記パネルは、該パネルが有する係止部および嵌合部と、前記フレームが有する被係止部および被嵌合部と、による着脱構造のみによって、前記矩形枠に対して着脱自在に設置される、
請求項１に記載の間仕切り装置。
【発明の詳細な説明】
【技術分野】
【０００１】
本発明は、フレームと、フレームによって形成された矩形枠に設置されるパネルと、を備える間仕切り装置に関する。
【背景技術】
【０００２】
従来、キャビネット等の本体ケースの背面に連結した中空の背面パネル装置と、その側面に連設された間仕切りパネル装置からなり、内部に配線通路を形成したパネル装置がある（特許文献１を参照）。また、矩形枠の前後両面に、外枠材の前後方向の外側端部に形成した保持部にパネル基材の外周角縁部を噛み込み保持させて形成した一対のパネルを取り付けた間仕切りパネルがあり（特許文献２を参照）、天井と床面の間に立設した支柱間にパネルを装着してなる間仕切りパネルがある（特許文献３を参照）。
【特許文献１】特許第３７０６２９９号公報
【特許文献２】特開２００４−３１６１９２号公報
【特許文献３】特開２００４−２１１３９２号公報
【発明の開示】
【発明が解決しようとする課題】
【０００３】
従来、空間、特にオフィス等の室内空間を仕切るための間仕切り装置がある。また、このような間仕切り装置として、電子機器等の設置時に配線類を隠して外観を保つために、その内部に配線用の空間を有する間仕切り装置が提供されている。
【０００４】
しかし、このような間仕切り装置は、例えば床面から天井まで届く間仕切り装置とする等、そのサイズを大きくする場合、所要の強度を確保するために、強度確保のためのフレームを用いる必要がある。このため、間仕切り装置内部の配線空間がフレームによって分断されてしまい、自由な配線が困難となる、配線の一部を間仕切り装置の外部に出すこととなり、外観が損なわれる、等の問題があった。
【０００５】
本発明は、上記した問題に鑑み、フレームを用いた間仕切り装置において、内部の配線の自由度を高めることを課題とする。
【課題を解決するための手段】
【０００６】
本発明は、上記した課題を解決するために、フレームに配線用孔部を設けることで、間仕切り装置内部の配線の自由度を高めることを可能にした。
【０００７】
詳細には、本発明は、床面に対して略垂直に設けられた複数の縦フレームと、該複数の縦フレームを接続する複数の横フレームとによって、複数の矩形枠を形成するフレームと、前記フレームによって形成された前記複数の矩形枠に対して、該矩形枠の前面および後面の両面から設置されるパネルと、を備え、前記フレームは、前記複数の矩形枠および前記パネルによって形成された、配線可能な複数の内部空間のうち、該フレームを挟んで隣接する内部空間同士を繋げる配線用孔部を有する、間仕切り装置である。
【０００８】
本発明に係る間仕切り装置は、フレームを用いた間仕切り装置であり、配線空間として使用される複数の内部空間は、縦フレーム（支柱等）または横フレーム（パネル取り付け用の横板等）によって区切られている。ここで、本発明に係る間仕切り装置は、フレームに配線用孔部を設けることで、フレームによって仕切られた複数の内部空間に亘って配線を行うことを可能としている。また、複数の内部空間を繋ぐために、配線用孔部は、フレーム上の、矩形枠とパネルとによって形成される内部空間に面した位置に設けられる。
【０００９】
なお、従来の間仕切り装置は、パネルの脱落を防止するために、配線空間を確保するための前後のパネルが、ネジやボルト等の固定具を用いて固定されている。このため、レイアウト変更の際には、間仕切り装置内部の配線にアクセスするために、固定具を除去する等の煩雑な作業が必要となることが一般的であった。
【００１０】
このため、本発明に係る間仕切り装置において、前記パネルは、該パネルの上端近傍に設けられた係止部と、該パネルの下端近傍に設けられた嵌合部とを有し、前記横フレームは、前記複数の矩形枠のうちの該横フレームが上辺を形成する矩形枠に対して前記パネルが設置されたときに、該パネルの手前方向への取り外しを禁止し、奥または下方向への取り外しを許可する方向に前記係止部を係止させる被係止部と、前記複数の矩形枠のうちの該横フレームが下辺を形成する矩形枠に対して前記パネルが設置されたときに、該パネルの手前方向への取り外しを許可する方向に前記嵌合部を嵌合させる被嵌合部と、を有してもよい。
【００１１】
ここで、係止部および被係止部によって提供される係止構造は、奥または下方向への取り外しを許可し、嵌合部および被嵌合部によって提供される嵌合構造は、手前方向への取り外しを許可する。このため、本発明に係る間仕切り装置においてパネルを取り外す場合、パネルを単一の方向に動かすのみではパネルは取り外されず、例えば、はじめに手前方向へ引いて嵌合を解除し、次に下方向へ引いて係止を解除する等の、２段階の取り外し手順を踏んでパネルを取り外すこととなる。
【００１２】
即ち、本発明に係る間仕切り装置によれば、単一の方向に動かすのみでパネル取り外し可能な取り付け構造の間仕切り装置と異なり、ネジやボルト等の固定具を用いずに脱落を防止することが可能である。
【００１３】
また、ネジやボルト等の固定具が不要であることで、前記パネルは、該パネルが有する係止部および嵌合部と、前記フレームが有する被係止部および被嵌合部と、による着脱構造のみによって、前記矩形枠に対して着脱自在に設置されてもよい。これによって、間仕切り装置内部の配線を変更する必要等が生じた場合にも、固定具を除去する手間をかけずに、内部の配線類に簡易にアクセスすることが可能な間仕切り装置を提供することが可能となる。
【発明の効果】
【００１４】
本発明によって、フレームを用いた間仕切り装置において、内部の配線の自由度を高めることが可能となる。
【発明を実施するための最良の形態】
【００１５】
本発明に係る間仕切り装置の実施の形態について、図面に基づいて説明する。
【００１６】
図１は、本実施形態に係る間仕切り装置１の全体の構成を示す図である。また、図２は本実施形態における、パネル８を取り除いた状態の間仕切り装置１の構成を示す図である。間仕切り装置１は、支柱３、ビーム４、基部５、第一横板６、第二横板７、および横板取付金具９（図８を参照）、等を用いて構成されたフレーム２と、フレーム２によって形成された矩形枠に前後から取り付けられたパネル８と、を備える。
【００１７】
支柱３は、床面から天井に配置されたビーム４に届く長さを有し、床面に配置された基部５および天井に配置されたビーム４と接続されることで、安定して立設される。即ち、本実施形態に係る間仕切り装置１は、床面から天井までの高さを有することで、高さ方向においてほぼ隙間なく室内空間を仕切る間仕切り装置である。但し、間仕切り装置１の高
さは、床面から天井まで届かない高さであってもよく、実施の態様に応じて適宜決定されることが好ましい。
【００１８】
また、支柱３の間には第二横板７および第一横板６が接続されることで、間仕切り装置１全体の強度を向上させている。ここで、第一横板６は、ビーム４および基部５からは離れた位置に取り付けられる横板であり、第二横板７は、ビーム４の下面に接触する位置または基部５の上面に接触する位置に取り付けられる横板である。
【００１９】
図３は、本実施形態に係る横板６、７が支柱３に取り付けられた状態の、取り付け部分付近を示す拡大図である。また、図４は、本実施形態に係る第一横板６の上面図および断面図である。第一横板６は、長手方向に沿って、その外縁部付近にパネル８を取り付けるための被係止部６１および被嵌合部６２を有する。被係止部６１は、横板外縁部の下面に、長手方向に延在し、その端が外縁側から中心側に向けて、即ちフレーム２に設置された状態における奥方向に向けて曲げられた形状を有する。
【００２０】
また、被嵌合部６２は、横板外縁付近の上面に立設され、長手方向に延在する壁状の部材６２ａと、部材６２ａから外縁側に向けて延びた２枚の対向する側壁６２ｂとを有する。即ち、被嵌合部６２は、壁状の部材６２ａをもって底となし、側壁６２ｂをもって内壁となした溝状に形成される。また、被嵌合部６２の内壁には、後述する嵌合部８２の爪状部材８２ｂを押して弾性変形させるための突起６２ｃが設けられている。
【００２１】
図５は、本実施形態に係る第二横板７の上面図および断面図である。第二横板７は、第一横板６と同様、長手方向に沿って、その外縁部付近にパネル８を取り付けるための被係止部７１および被嵌合部７２を有する。但し、第二横板７は、被係止部７１および被嵌合部７２が同一面側に設けられる点で、被係止部６１および被嵌合部６２が反対面に設けられる第一横板６と異なる。
【００２２】
第一横板６と同様、被係止部７１は、横板外縁部に、長手方向に延在する部材であって、その端が外縁側から中心側に向けて、即ちフレーム２に設置された状態における奥方向に向けて曲げられた形状を有する。また、被嵌合部７２は、横板外縁付近に立設され、長手方向に延在する壁状の部材７２ａをもって底となし、外縁側に向けて延びた２枚の対向する側壁７２ｂをもって内壁となした溝状に形成される。また、被嵌合部７２の内壁には、後述する嵌合部８２の爪状部材８２ｂを押して弾性変形させるための突起７２ｃが設けられている。
【００２３】
第二横板７は、ビーム４側に設けられる場合と、基部５側に設けられる場合とで、上下が逆に設置される。第二横板７がビーム４側に設けられる場合、被係止部７１および被嵌合部７２が設けられた面が下面として用いられ、被嵌合部７２は使用されない。第二横板７が基部５側に設けられる場合、被係止部７１および被嵌合部７２が設けられた面が上面として使用され、被係止部７１は使用されない。
【００２４】
また、第一横板６は、長手方向の端部近傍且つ短手方向の中心付近に、配線用孔部６３を有する（図４を参照）。また、第二横板７は、長手方向の端部近傍であって短手方向の中心と重ならない位置に、配線用孔部７３を有する（図５を参照）。これは、第二横板７はビーム４または基部５に接する位置に取り付けられるために、仮にその短手方向の中心と重なる位置に孔部を設けた場合、ビーム４または基部５によって孔部が塞がれてしまうためである。なお、配線用孔部６３および７３は、パネル８が設置された状態で、間仕切り装置１内部の配線空間に面する位置に設けられる。
【００２５】
横板６、７がこのような配線用孔部６３、７３を有することによって、横板６、７によ
って区切られた矩形枠内部の配線空間同士を繋げ、横板６、７によって分割された矩形枠に制限されない配線が可能となる。即ち、本実施形態に係る間仕切り装置１によれば、横板６、７によって区切られた複数の配線空間に亘る配線を行うことが可能である。これによって、複数の矩形枠が必要な大きな間仕切り装置１を設置した場合にも、配線を一旦外に引き出したりすることなく、間仕切り装置１の内部のみで配線を行うことが可能となり、外観を良好な状態に保つことが出来る。
【００２６】
図６は、本実施形態における横板取付金具９の構成を示す図である。横板取付金具９は、支柱３にボルト固着されるボルト孔９３を有する支柱側取付部９１と、支柱側取付部９１に対して直角をなし、横板６、７にボルト固着されるボルト孔９４を有する横板支持部９２と、を有する。即ち、横板取付金具９は、全体としてＬ字状に形成されている。ここで、支柱側取付部９１は、支柱３の側面長手方向に延在する取付溝の任意の位置にボルト固着されることで、横板取付金具９を、立設された支柱３に任意の高さに固定する。また、横板支持部９２は、その上面に横板６、７を載置してボルト固着されることで、横板６、７を支持する。
【００２７】
図７は、本実施形態に係るパネル８を背面側から見た斜視図である。パネル８は、フレーム２に設置された状態で外から見えない部分に、係止部８１および嵌合部８２を有する。係止部８１は、パネル８上端面のパネル８背面近傍に設けられ、パネル８の幅方向に延在する部材（本実施形態では、曲げ加工された金属板）である。そして、係止部８１は、その端がパネル８前面方向、即ちフレーム２に設置された状態における手前方向に向かって曲げられた形状を有する。
【００２８】
また、嵌合部８２は、パネル８背面のパネル８下端近傍に設けられた複数の突起状の部材である。そして、嵌合部８２は、横板６、７の被嵌合部６２、７２に挿入されて弾性変形することで被嵌合部６２、７２の内壁６２ｂ、７２ｂの夫々を押す爪状部材８２ｂを有する（図１０を参照）。パネル８から延びた爪状部材８２ｂの外側には、被嵌合部６２、７２の内壁に設けられた突起６２ｃ、７２ｃに押されることで爪状部材８２ｂを弾性変形させるための突起８２ｃが設けられている。爪状部材８２ｂは、突起８２ｃが突起６２ｃ、７２ｃを乗り越えることで弾性変形から復帰し（但し、完全に復帰しなくてもよい）、突起８２ｃを突起６２ｃ、７２ｃよりも奥に収めることで、嵌合を完了させる。
【００２９】
次に、本実施形態に係る間仕切り装置１の組み立て手順を説明する。図８は、本実施形態におけるフレーム２の組み立て方法を示す図である。本実施形態では、はじめに、室内の床面と天井との間に支柱３、ビーム４および基部５が設置される。そして、支柱３における横板６、７の設置高さが位置決めされ、その後ボルトと横板取付金具９を用いて支柱３に横板６、７が取付けられることで、フレーム２が完成する（図２を参照）。
【００３０】
組み立てられたフレーム２には、パネル８が設置される。図９は、本実施形態に係る間仕切り装置１のパネル取付け方法を示す斜視図である。また、図１０は、本実施形態に係る間仕切り装置１のパネル取付け方法を示す断面図である。はじめに、作業者は、パネル８の横幅方向と横板６、７（図中では第一横板６）の長手方向（即ち、フレーム２の横幅方向）とを平行にし、パネルの下部が手前に来るようにパネル８を傾ける。そして、この状態で、パネル８の上端を横板６、７の下面に向かわせて、係止部８１と被係止部６１、７１とを係合させる。係止部８１は端が手前側に曲げられた形状を有し、被係止部６１、７１は端が奥側に向けて曲げられた形状を有するため、係止部８１と被係止部６１、７１とが係合した状態で、パネル８の上端は手前方向に向かって外れない。
【００３１】
続いて、作業者は、係止部８１と被係止部６１、７１との係合を維持したまま、パネル８の上端長手方向に延在する係止部８１を軸として、パネル８を回転させるように、パネ
ル８下端を横板６、７へ向かわせる。そして、嵌合部８２を被嵌合部６２、７２に挿入する。このとき、爪状部材８２ｂの突起８２ｃが、被嵌合部６２、７２に設けられた突起６２ｃ、７２ｃによって押されることで、爪状部材８２ｂが弾性変形する。爪状部材８２ｂが弾性変形した状態から、更に嵌合部８２が被嵌合部６２、７２に押し込まれることで、突起８２ｃが突起６２ｃ、７２ｃを乗り越えて爪状部材８２ｂが弾性変形から復帰する。
【００３２】
これによって嵌合部８２と被嵌合部６２、７２との嵌合が完了し、パネル８がフレーム２に取付けられる。嵌合が完了した状態で、爪状部材８２ｂの突起８２ｃは被嵌合部６２、７２に設けられた突起６２ｃ、７２ｃよりも奥に収まっているため、突起８２ｃが突起６２ｃを乗り越えることが出来る所定以上の力で引っ張られない限り、嵌合部８２は被嵌合部６２、７２から抜かれない。即ち、所定以上の力で引っ張られない限り、パネル８が脱落することはない。作業者は、フレーム２に設けられるパネル８の数だけ同様の作業を繰り返すことで、間仕切り装置１を完成させる（図１を参照）。
【００３３】
図１１は、本実施形態における、フレーム２にパネル８が取付けられた状態の、第一横板６とパネル８との関係を示す断面図である。パネル８上部は、係止部８１が被係止部６１、７１に係止することによって、手前方向に脱落が防止されている。また、パネル８下部は、嵌合部８２が被嵌合部６２、７２に嵌合することによって、所定以上の力で手前方向に引っ張られない限り、取り外されない。
【００３４】
図１２は、本実施形態における、フレーム２にパネル８が取付けられた状態の、第二横板７とパネル８との関係を示す断面図である。図１２の上側に示された図は、ビーム４側に設けられた第二横板７とパネル８との関係を示し、図１２の下側に示された図は、基部５側に設けられた第二横板７とパネル８との関係を示している。第二横板７は、ビーム４側に設けられる場合と基部５側に設けられる場合とで上下逆に設置される。そして、ビーム４側に設けられた場合には被係止部７１のみが、基部５側に設けられた場合には被嵌合部７２のみが使用される。
【００３５】
なお、上記手順で取付けられたパネル８は、組み立て手順と逆の手順を踏むことで容易に取り外しが可能である。即ち、作業者は、パネル８下部を手前に引くことで嵌合部８２を被嵌合部６２、７２から引き抜き（図１０を参照）、次にパネル８上部を下方向または奥方向に移動させることで係止部８１を被係止部６１、７１から外す。この際、パネル８下部を手前に引きやすくするために、作業時にパネル８下部に吸盤等によって固着される持ち手が取付けられてもよいし、予めパネル８下部の何れかの部位に何らかの持ち手部分が設けられていてもよい。
【００３６】
上記係止機構と嵌合機構からなる着脱構造を備えることによって、明示的な取り外し操作が行われない限りパネル８の脱落を防止することが可能であり、且つパネル８を取り外したい場合には、ネジやボルト等の固定具を除去する必要なく簡易に取り外しをすることが可能である。即ち、本実施形態に係る間仕切り装置１によれば、間仕切り装置１の所要の強度を達成しつつ、装置内部の配線に簡易にアクセスすることが出来る。更に、本実施形態に係る間仕切り装置１では、前後両面から着脱容易なパネル８が設けられるため、必要に応じて、間仕切り装置１の表または裏から、内部の配線にアクセスすることが出来る。
【００３７】
次に、外観を良好な状態に保ったまま配線を行うための、配線用のトレイ１０について説明する。図１３は、本実施形態に係るトレイ１０の構成を示す図である。トレイ１０は、間仕切り装置１のビーム４に取付けられる部材であり、配線を載置する溝の底部１０１と、底部１０１の前端および後端に、底部１０１に対して略垂直に設けられた壁部１０２、１０３と、を有する。この底部１０１と壁部１０２、１０３とによって、ビーム４に取
付けられた状態で、下から配線類が見えないように配線することが可能である。更に、トレイ１０は、壁部１０３に設けられたフック１０４およびボルト孔１０５を有する。フック１０４は、ビーム４の側面長手方向に設けられた溝４１（図１２を参照）に掛けられることで、トレイ１０をビーム４に係止する。
【００３８】
図１４は、本実施形態において、トレイ１０をビーム４に固定する方法を示す断面図である。作業者は、ビーム４の溝４１にフック１０４を掛けた状態で、予め溝４１内部に配置された固定具１０６のボルト孔とトレイ１０のボルト孔１０５との位置を合わせて、ボルトを用いて締結することで、ビーム４の所定の位置にトレイ１０を固定する。
【００３９】
また、本実施形態に係る間仕切り装置１は、支柱３を介して横方向に２面以上設置することが可能である。図１５は、本実施形態における、支柱３を超えてビーム４にトレイ１０ｂが取付けられる様子を示す図である。トレイ１０ｂは、基本的に、配線が載置される底部１０１と、底部１０１の前端および後端に設けられた壁部１０２、１０３とを有する溝状の形状を有するが、図１５に示すように、トレイ１０ｂを取付ける上で障害となる構成（図１５の例では支柱３）がある場合、この障害となる構成の形状に対応する切り欠きを設けることで、障害となる構成を超えて配線することを可能としてもよい。本実施形態では、断面十字状の支柱３を用いるため、トレイ１０ｂには、支柱３の断面における凸形状に対応する切り欠き１０７が設けられる。
【００４０】
更に、本実施形態に係る間仕切り装置１は、２面以上設置する際に、四方にビーム４の接続部を有する支柱３を用いて、２面が直角をなすように設置することも可能である。図１６は、本実施形態におけるトレイ１０ｃを、直角に設置した２面がなすコーナーの内側に設置する様子を示す図であり、図１７は、本実施形態におけるトレイ１０ｄを、直角に設置した２面がなすコーナーの外側に設置する様子を示す図である。
【００４１】
コーナー内側に設置する場合には、ビーム４に面する壁部１０３がビーム４に面しない壁部１０２より長くなるように角を切り落とした形状を有するトレイ１０ｃを用い、コーナー外側に設置する場合には、ビーム４に面する壁部１０３がビーム４に面しない壁部１０２より短くなるように角を切り落とした形状を有するトレイ１０ｄを用いる。但し、本実施形態における間仕切り装置１の場合、支柱３が断面十字状であるため、コーナー外側に設置されるトレイ１０ｄは、支柱３の形状に対応する切り欠き１０８を更に有する必要がある。なお、コーナー内側または外側にトレイを設ける場合、予めコーナーの角度に合わせたＬ字状のトレイを用いることとしてもよい。
【００４２】
本実施形態によれば、トレイ１０、１０ｂ、１０ｃ、１０ｄと、間仕切り装置内部の配線空間と、横板６、７の配線用孔部６３、７３とを用いることで、間仕切り装置１内において、前後左右の任意の方向に、自在に配線を行うことが可能である。また、本実施形態において使用される支柱３およびビーム４には、長手方向に設けられた溝を用いてフラットパネルディスプレイ等の電子機器を設置することが可能であるが、支柱３またはビーム４に電子機器を設置する場合にも、該電子機器からの配線を一切外に出さずに、間仕切り装置１を用いたプレゼンテーション空間等を作ることが出来る。更に、本実施形態では、支柱３を超えて横方向へ配線を行う場合に、ビーム４に設置されたトレイ１０ｂ、１０ｃ、１０ｄを用いることとしているが、支柱３に配線用孔を設けることで、横方向への配線を可能としてもよい。
【図面の簡単な説明】
【００４３】
【図１】実施形態に係る間仕切り装置の全体の構成を示す図である。
【図２】実施形態における、パネルを取り除いた状態の間仕切り装置の構成を示す図である。
【図３】実施形態に係る横板が支柱に取り付けられた状態の、取り付け部分付近を示す拡大図である。
【図４】実施形態に係る第一横板の上面図および断面図である。
【図５】実施形態に係る第二横板の上面図および断面図である。
【図６】実施形態における横板取付金具の構成を示す図である。
【図７】実施形態に係るパネルを背面側から見た斜視図である。
【図８】実施形態におけるフレームの組み立て方法を示す図である。
【図９】実施形態に係る間仕切り装置のパネル取付け方法を示す斜視図である。
【図１０】実施形態に係る間仕切り装置のパネル取付け方法を示す断面図である。
【図１１】実施形態における、フレームにパネルが取付けられた状態の、第一横板とパネルとの関係を示す断面図である。
【図１２】実施形態における、フレームにパネルが取付けられた状態の、第二横板とパネルとの関係を示す断面図である。
【図１３】実施形態に係るトレイの構成を示す図である。
【図１４】実施形態において、トレイをビームに固定する方法を示す断面図である。
【図１５】実施形態における、支柱を超えてビームにトレイが取付けられる様子を示す図である。
【図１６】実施形態におけるトレイを、直角に設置した２面がなすコーナーの内側に設置する様子を示す図である。
【図１７】実施形態におけるトレイを、直角に設置した２面がなすコーナーの外側に設置する様子を示す図である。
【符号の説明】
【００４４】
１  間仕切り装置
２  フレーム
３  支柱
４  ビーム
５  基部
６  第一横板
７  第二横板
８  パネル
１０、１０ｂ、１０ｃ、１０ｄ  トレイ
６１  被係止部
６２  被嵌合部
６３  配線用孔部
７１  被係止部
７２  被嵌合部
７３  配線用孔部
８１  係止部
８２  嵌合部
【図１】
0005139795.tif 000002
【図２】
0005139795.tif 000003
【図３】
0005139795.tif 000004
【図４】
0005139795.tif 000005
【図５】
0005139795.tif 000006
【図６】
0005139795.tif 000007
【図７】
0005139795.tif 000008
【図８】
0005139795.tif 000009
【図９】
0005139795.tif 000010
【図１０】
0005139795.tif 000011
【図１１】
0005139795.tif 000012
【図１２】
0005139795.tif 000013
【図１３】
0005139795.tif 000014
【図１４】
0005139795.tif 000015
【図１５】
0005139795.tif 000016
【図１６】
0005139795.tif 000017
【図１７】
0005139795.tif 000018